(57)【要約】【課題】システム効率を高く維持しつつ燃料電池冷媒の凍結を防止する。【解決手段】燃料電池発電システム１０では、燃料電池４０の運転停止中に冷却水循環経路４８内の冷却水が凍結するおそれがあるときには、第１バルブ４６を閉じ第２バルブ４７を開き、冷却水ポンプ４３及び貯湯ポンプ４５を駆動させる。すると、冷却水は冷却水循環経路４８を循環し、貯湯槽４４に貯留された水は貯湯槽４４の上層部から第２経路５２を循環して貯湯槽４４の上層部へ戻る。このとき、貯湯槽４４に貯留された水は燃料電池４０が運転中のときに燃料電池４０の冷却水の熱を回収してお湯になっているため、熱交換器４２にて貯湯槽４４から流通してきた水により冷却水が暖められる。この結果、冷却水温が上昇して冷却水の凍結が防止される。  【選択図】図１
2007165341.tif 000002
【特許請求の範囲】
【請求項１】
燃料ガスと酸化ガスとの電気化学反応により発電する燃料電池と、
熱交換媒体を貯留する熱交換媒体貯留手段と、
前記燃料電池を冷却する燃料電池冷媒と前記熱交換媒体貯留手段に貯留された熱交換媒体との間で熱交換を行い前記燃料電池の発電時には前記熱交換媒体により前記燃料電池冷媒の熱を回収する熱交換手段と、
前記燃料電池冷媒の凍結のおそれがあるときには前記熱を回収した熱交換媒体により前記熱交換手段にて前記燃料電池冷媒を暖める凍結防止手段と
を備えた燃料電池発電システム。
【請求項２】
前記凍結防止手段は、前記燃料電池冷媒を暖める熱交換媒体として前記熱交換媒体貯留手段の中層部以上に貯留する熱交換媒体を用いる
請求項１記載の燃料電池発電システム。
【請求項３】
請求項１又は２記載の燃料電池発電システムであって、
前記熱交換媒体貯留手段の下層部の熱交換媒体を前記熱交換手段へ送り込み前記燃料電池冷媒と熱交換させたあと前記熱交換媒体貯留手段へ戻す第１経路と、
前記熱交換媒体貯留手段の中層部以上に貯留する熱交換媒体を前記熱交換手段へ送り込み前記燃料電池冷媒と熱交換させたあと前記熱交換媒体貯留手段へ戻す第２経路と
を備え、
前記凍結防止手段は、前記燃料電池の発電時には前記第１経路を開き前記第２経路を閉じて前記熱交換手段にて熱交換を行うことにより前記燃料電池冷媒の熱を前記熱交換媒体で回収し、前記燃料電池冷媒の凍結のおそれがあるときには前記第２経路を開き前記第１経路を閉じて前記熱交換手段にて熱交換を行うことにより前記燃料電池冷媒を前記熱交換媒体で暖める
燃料電池発電システム。
【請求項４】
請求項１〜３のいずれかに記載の燃料電池発電システムであって、
前記熱交換媒体貯留手段に貯められた前記熱交換媒体に熱量を付与する熱量付与手段
を備え、
前記凍結防止手段は、前記燃料電池冷媒の凍結のおそれがあり且つ前記熱交換媒体貯留手段に貯留された熱交換媒体の熱量が前記燃料電池冷媒を暖めるのに不足しているときには、前記熱量付与手段が熱量を付与したあとの熱交換媒体で前記燃料電池冷媒を暖める
燃料電池発電システム。
【請求項５】
請求項４記載の燃料電池発電システムであって、
前記熱交換媒体貯留手段に貯められた前記熱交換媒体の熱量を検出する熱量検出手段
を備え、
前記熱交換媒体貯留手段に貯留された熱交換媒体の熱量が前記燃料電池冷媒を暖めるのに不足しているときとは、前記熱量検出手段によって検出された熱量が予め前記燃料電池冷媒を暖めるのに必要な所定の熱量範囲でないときである
燃料電池発電システム。
【請求項６】
燃料ガスと酸化ガスとの電気化学反応により発電する燃料電池と、
前記燃料電池を冷却する燃料電池冷媒との熱交換により前記燃料電池冷媒の熱回収を行う熱回収手段と、
前記熱回収手段の熱を蓄える蓄熱手段と、
前記燃料電池冷媒の凍結のおそれがあるときには前記蓄熱手段の熱エネルギにより前記燃料電池冷媒を暖める凍結防止手段と
を備えた燃料電池発電システム。
【請求項７】
前記熱回収手段は熱交換媒体である
請求項６記載の燃料電池発電システム。
【請求項８】
前記熱交換媒体は水又は湯である
請求項１〜５及び７のいずれかに記載の燃料電池発電システム。
【請求項９】
前記燃料電池冷媒は閉じた系内を循環する
請求項１〜８のいずれかに記載の燃料電池発電システム。
【請求項１０】
請求項１〜９のいずれかに記載の燃料電池発電システムであって、
外気温を検出する外気温検出手段
を備え、
前記燃料電池冷媒の凍結のおそれがあるときとは、前記外気温検出手段によって検出された外気温が予め前記燃料電池冷媒の凍結のおそれがあると定められた所定の凍結温度範囲のときである
燃料電池発電システム。
【請求項１１】
請求項１〜１０のいずれかに記載の燃料電池発電システムであって、
燃料電池冷媒の温度を検出する冷媒温度検出手段
を備え、
前記燃料電池冷媒の凍結のおそれがあるときとは、前記冷媒温度検出手段によって検出された温度が予め前記燃料電池冷媒の凍結のおそれがあると定められた所定の温度範囲のときである
燃料電池発電システム。
【請求項１２】
請求項１〜１１のいずれかに記載の燃料電池発電システムであって、
前記燃料電池の運転状態を検出する運転状態検出手段
を備え、
前記凍結防止手段は、前記運転状態検出手段により前記燃料電池が運転停止中であると検出されたときに前記燃料電池冷媒の凍結のおそれがあるか否かを判定する
燃料電池発電システム。
【請求項１３】
燃料ガスと酸化ガスとの電気化学反応により発電する燃料電池を冷却する燃料電池冷媒と熱交換媒体貯留手段に貯留された熱交換媒体との間で熱交換を行う燃料電池発電システムを運転する方法であって、
前記燃料電池の発電時には前記燃料電池冷媒の熱を前記熱交換媒体で回収し、前記燃料電池冷媒の凍結のおそれがあるときには前記燃料電池の発電時に熱を回収した熱交換媒体により前記燃料電池冷媒を暖める
燃料電池発電システムの運転方法。
【請求項１４】
前記燃料電池冷媒の凍結のおそれがあり且つ前記熱交換媒体貯留手段に貯留された熱交換媒体の熱量が前記燃料電池冷媒を暖めるのに不足しているときには、前記熱交換媒体に熱量を付与したあと該熱交換媒体で前記燃料電池冷媒を暖める
請求項１３記載の燃料電池発電システムの運転方法。
【請求項１５】
燃料ガスと酸化ガスとの電気化学反応により発電する燃料電池を冷却する燃料電池冷媒との熱交換により前記燃料電池冷媒の熱回収を行う燃料電池発電システムを運転する方法であって、
前記燃料電池冷媒の凍結のおそれがあるときには前記燃料電池冷媒の熱回収によって得た熱エネルギにより前記燃料電池冷媒を暖める
燃料電池発電システムの運転方法。
【発明の詳細な説明】
【技術分野】
【０００１】
本発明は、燃料電池発電システムおよびその運転方法に関する。
【背景技術】
【０００２】
近年、コージェネレーションシステムとして、環境問題を考慮して燃料電池を組み入れた発電システムが提案されている。また、燃料電池としては、電解質膜とこの電解質膜を狭持するアノード電極およびカソード電極とこのアノード電極およびカソード電極に燃料ガスと空気とを供給すると共にセル間の隔壁をなすセパレータとからなる単セルを複数積層してなる固体高分子電解質型の燃料電池が知られている。
【０００３】
ところで、燃料電池における電気化学反応が発熱反応であることから、燃料電池の温度を適温に保つために燃料電池に冷却水を循環させる冷却水循環経路が設けられているが、外気温が下がるとこの冷却水が凍結してしまい、燃料電池発電システムの運転に支障が生じるおそれがある。特にこのおそれは低温且つ燃料電池の停止時（例えば長期放置時など）に顕著になる。この点を考慮して、例えば特開平７−１６９４７６号公報には、外気温が低いとき原燃料を燃焼させて燃料電池を保温することが提案され、特開平１１−２１４０２５号公報には、外気温が低いとき燃料電池を駆動させその電気化学反応で発生する熱により冷却水循環経路内の冷却水を暖めて凍結を防止することが提案されている。
【特許文献１】特開平７−１６９４７６号公報
【特許文献２】特開平１１−２１４０２５号公報
【発明の開示】
【発明が解決しようとする課題】
【０００４】
しかしながら、これらの公報では、発電する必要がないのに原燃料を燃焼させたり燃料電池を駆動させたりするため、長期的にみたときにシステム効率が低下するという問題がある。
【０００５】
本発明は、上述の課題に鑑みなされたものであり、システム効率を高く維持しつつ燃料電池冷媒の凍結を防止することができる燃料電池発電システムおよびその運転方法を提供することを目的とする。
【課題を解決するための手段】
【０００６】
上述した目的を達成するために、本発明の第１は、燃料電池発電システムであって、
燃料ガスと酸化ガスとの電気化学反応により発電する燃料電池と、
熱交換媒体を貯留する熱交換媒体貯留手段と、
前記燃料電池を冷却する燃料電池冷媒と前記熱交換媒体貯留手段に貯留された熱交換媒体との間で熱交換を行い前記燃料電池の発電時には前記熱交換媒体により前記燃料電池冷媒の熱を回収する熱交換手段と、
前記燃料電池冷媒の凍結のおそれがあるときには前記熱を回収した熱交換媒体により前記熱交換手段にて前記燃料電池冷媒を暖める凍結防止手段と
を備えたものである。
【０００７】
この燃料電池発電システムでは、燃料電池が発電しているときには、発熱反応である電気化学反応によって熱を帯びる燃料電池を燃料電池冷媒が冷却し、この燃料電池冷媒の熱を熱交換媒体が回収する。一方、燃料電池冷媒が凍結するおそれがあるとき（例えば低温で燃料電池の停止時（長期放置時）など）には、燃料電池の発電中に熱を回収した熱交換媒体により燃料電池冷媒を暖めて凍結を防止する。このように燃料電池発電システムで発生した熱を利用して燃料電池冷媒の凍結を防止するため、システム効率を高く維持できる。
【０００８】
本発明の第１の燃料電池発電システムにおいて、前記凍結防止手段は、前記燃料電池冷媒を暖める熱交換媒体として前記熱交換媒体貯留手段の中層部以上に貯留する熱交換媒体を用いてもよい。熱交換媒体貯留手段に貯留されている熱交換媒体は中層部以下よりも中層部以上の方が温度勾配からみて高温になりやすいので、中層部以上に貯留する熱交換媒体により燃料電池冷媒を暖めるのが凍結防止するうえで有利である。特に、熱交換手段で熱交換したあとの熱交換媒体を熱交換貯留手段の上層部に戻す場合には、中層部以上の方が高温になりやすい傾向が高いので、中層部以上に貯留する熱交換媒体を利用することが好ましい。
【０００９】
本発明の第１の燃料電池発電システムは、前記熱交換媒体貯留手段の下層部の熱交換媒体を前記熱交換手段へ送り込み前記燃料電池冷媒と熱交換させたあと前記熱交換媒体貯留手段へ戻す第１経路と、前記熱交換媒体貯留手段の中層部以上に貯留する熱交換媒体を前記熱交換手段へ送り込み前記燃料電池冷媒と熱交換させたあと前記熱交換媒体貯留手段へ戻す第２経路とを備え、前記凍結防止手段は、前記燃料電池の発電時には前記第１経路を開き前記第２経路を閉じて前記熱交換手段にて熱交換を行うことにより前記燃料電池冷媒の熱を前記熱交換媒体で回収し、前記燃料電池冷媒の凍結のおそれがあるときには前記第２経路を開き前記第１経路を閉じて前記熱交換手段にて熱交換を行うことにより前記燃料電池冷媒を前記熱交換媒体で暖めるようにしてもよい。こうすれば、比較的低温の熱交換媒体で燃料電池冷媒の熱を回収するため熱回収効率がよく、また、比較的高温の熱交換媒体で凍結のおそれのある燃料電池冷媒を暖めるため早期に凍結のおそれが解消する。
【００１０】
本発明の第１の燃料電池発電システムは、前記熱交換媒体貯留手段に貯められた前記熱交換媒体に熱量を付与する熱量付与手段を備え、前記凍結防止手段は、前記燃料電池冷媒の凍結のおそれがあり且つ前記熱交換媒体貯留手段に貯留された熱交換媒体の熱量が前記燃料電池冷媒を暖めるのに不足しているときには、前記熱量付与手段が熱量を付与したあとの熱交換媒体で前記燃料電池冷媒を暖めるようにしてもよい。こうすれば、燃料電池発電システムで発生した熱だけでは燃料電池冷媒の凍結防止を賄いきれなかったとしても、熱交換媒体に熱量を付与することにより燃料電池冷媒の凍結を防止することができる。
【００１１】
このとき、前記熱交換媒体貯留手段に貯められた前記熱交換媒体の熱量を検出する熱量検出手段を備えていてもよく、前記熱交換媒体貯留手段に貯留された熱交換媒体の熱量が前記燃料電池冷媒を暖めるのに不足しているときとは、前記熱量検出手段によって検出された熱量が予め前記燃料電池冷媒を暖めるのに必要な所定の熱量範囲でないときとしてもよい。こうすれば、凍結防止手段は熱交換媒体の熱量が燃料電池冷媒の凍結を防止するのに不足しているか否かを適切に判定することができる。
【００１２】
本発明の第１の燃料電池発電システムは、
燃料ガスと酸化ガスとの電気化学反応により発電する燃料電池と、
前記燃料電池を冷却する燃料電池冷媒との熱交換により前記燃料電池冷媒の熱回収を行う熱回収手段と、
前記熱回収手段の熱を蓄える蓄熱手段と、
前記燃料電池冷媒の凍結のおそれがあるときには前記蓄熱手段の熱エネルギにより前記燃料電池冷媒を暖める凍結防止手段と
を備えて構成してもよい。
【００１３】
この燃料電池発電システムでは、熱回収手段が燃料電池を冷却する燃料電池冷媒との熱交換により燃料電池冷媒の熱を回収し、蓄熱手段が熱回収手段の熱を蓄える。そして、燃料電池冷媒の凍結のおそれがあるときには蓄熱手段の熱エネルギにより燃料電池冷媒を暖めて凍結を防止する。このように燃料電池発電システムで発生した熱を利用して燃料電池冷媒の凍結を防止するため、システム効率を高く維持できる。ここで、熱回収手段としては、例えば熱交換媒体が挙げられる。
【００１４】
本発明の第１の燃料電池発電システムにおいて、前記熱交換媒体は水又は湯であってもよい。こうすれば、燃料電池の発電時に燃料電池からの熱を湯水で回収することができるので給湯が可能となる。
【００１５】
本発明の第１の燃料電池発電システムにおいて、前記燃料電池冷媒は閉じた系内を循環するように構成してもよい。こうすれば、通常は燃料電池冷媒を抜いたり補充したりする必要がない。
【００１６】
本発明の第１の燃料電池発電システムは、外気温を検出する外気温検出手段を備え、前記燃料電池冷媒の凍結のおそれがあるときとは、前記外気温検出手段によって検出された外気温が予め前記燃料電池冷媒の凍結のおそれがあると定められた所定の外気温範囲のときとしてもよい。こうすれば、凍結防止手段は燃料電池冷媒が凍結するおそれがあるか否かを外気温に基づいて適切に判定することができる。
【００１７】
本発明の第１の燃料電池発電システムは、燃料電池冷媒の温度を検出する冷媒温度検出手段を備え、前記燃料電池冷媒の凍結のおそれがあるときとは、前記冷媒温度検出手段によって検出された温度が予め前記燃料電池冷媒の凍結のおそれがあると定められた所定の冷媒温度範囲のときとしてもよい。こうすれば、凍結防止手段は燃料電池冷媒が凍結するおそれがあるか否かを燃料電池冷媒の温度に基づいて適切に判定することができる。
【００１８】
本発明の第１の燃料電池発電システムは、前記燃料電池の運転状態を検出する運転状態検出手段を備え、前記凍結防止手段は、前記運転状態検出手段により前記燃料電池が運転停止中であると検出されたときに前記燃料電池冷媒の凍結のおそれがあるか否かを判定してもよい。燃料電池冷媒の凍結のおそれは燃料電池が運転停止中のときに特に発生しやすいため、燃料電池の運転停止時に燃料電池冷媒の凍結のおそれがあるか否かを判定することが好ましい。なお、燃料電池冷媒が凍結するおそれがあるか否かについては、外気温と燃料電池冷媒の温度の両方に基づいて判定することが好ましく、外気温と燃料電池冷媒の温度のいずれか一方又は両方と燃料電池の運転状態（運転中、運転停止中など）との組合せに基づいて判定することが特に好ましい。
【００１９】
本発明の第２は、燃料ガスと酸化ガスとの電気化学反応により発電する燃料電池を冷却する燃料電池冷媒と熱交換媒体貯留手段に貯留された熱交換媒体との間で熱交換を行う燃料電池発電システムを運転する方法であって、前記燃料電池の発電時には前記燃料電池冷媒の熱を前記熱交換媒体で回収し、前記燃料電池冷媒の凍結のおそれがあるときには前記燃料電池の発電時に熱を回収した熱交換媒体により前記燃料電池冷媒を暖めるものである。こうすれば、燃料電池発電システムで発生した熱を利用して燃料電池冷媒の凍結を防止するため、システム効率を高く維持できる。
【００２０】
本発明の第２の燃料電池発電システムの運転方法において、前記燃料電池冷媒の凍結のおそれがあり且つ前記熱交換媒体貯留手段に貯留された熱交換媒体の熱量が前記燃料電池冷媒を暖めるのに不足しているときには、前記熱交換媒体に熱量を付与したあと該熱交換媒体で前記燃料電池冷媒を暖めてもよい。こうすれば、燃料電池発電システムで発生した熱だけでは燃料電池冷媒の凍結防止を賄いきれなかったとしても、熱交換媒体に熱量を付与することにより燃料電池冷媒の凍結を防止することができる。
【００２１】
本発明の第２は、燃料ガスと酸化ガスとの電気化学反応により発電する燃料電池を冷却する燃料電池冷媒との熱交換により前記燃料電池冷媒の熱回収を行う燃料電池発電システムを運転する方法であって、前記燃料電池冷媒の凍結のおそれがあるときには前記燃料電池冷媒の熱回収によって得た熱エネルギにより前記燃料電池冷媒を暖めてもよい。この場合も、燃料電池発電システムで発生した熱を利用して燃料電池冷媒の凍結を防止するため、システム効率を高く維持できる。
【発明を実施するための最良の形態】
【００２２】
次に、本発明の好適な一実施形態を図面に基づいて説明する。図１は、燃料電池発電システム１０の概略を示す構成図である。この燃料電池発電システム１０は、図示するように、ガス配管２２から都市ガス（１３Ａ）の供給を受けて都市ガスを水素リッチな改質ガスに改質する改質器３０と、改質ガス中の一酸化炭素を低減して燃料ガスとするＣＯ選択酸化部３４と、燃料ガスと酸化ガス（ここでは空気）の供給を受けて電気化学反応により発電する燃料電池４０と、燃料電池４０の冷媒である冷却水と貯湯槽４４に貯留される熱交換媒体である水との熱交換を行う熱交換器４２と、熱交換器４２にて燃料電池４０の熱を回収して加温された水を貯留する貯湯槽４４と、燃料電池４０からの直流電力を交流電力に変換して外部に供給する系統連係パッケージ７０と、システム全体をコントロールする電子制御ユニット６０とを備えている。なお、貯湯槽４４に貯留される水とは、冷水の場合もあるし温水の場合もある。
【００２３】
改質器３０は、ガス配管２２から調節弁２４と昇圧ポンプ２６と硫黄分を除く脱硫器２７とを介して供給される都市ガスと図示しない配管により供給される水蒸気とによる次式（１）および次式（２）の水蒸気改質反応およびシフト反応により水素リッチな改質ガスを生成する。改質器３０には、こうした反応に必要な熱を供給する燃焼部３２が設けられており、燃焼部３２にはガス配管２２から調節弁２４と昇圧ポンプ２８とを介して都市ガスが供給されるようになっている。また、燃焼部３２には、燃料電池４０のアノード側の排出ガス（アノードオフガス）が供給され、アノードオフガス中の未反応の水素を燃料として用いることができるようになっている。
【００２４】
[数１]
ＣＨ4＋Ｈ2Ｏ→ＣＯ＋３Ｈ2    （１）
ＣＯ＋Ｈ2Ｏ→ＣＯ2＋Ｈ2      （２）
【００２５】
ＣＯ選択酸化部３４は、図示しない配管による空気の供給を受けて水素の存在下で一酸化炭素を選択して酸化する一酸化炭素選択酸化触媒（例えば白金とルテニウムの合金による触媒）により、改質ガス中の一酸化炭素を選択酸化して一酸化炭素濃度が極めて低い（本実施形態では数ｐｐｍ程度）水素リッチな燃料ガスとする。
【００２６】
燃料電池４０は、電解質膜とこの電解質膜を狭持するアノード電極およびカソード電極とこのアノード電極およびカソード電極に燃料ガスと空気とを供給すると共にセル間の隔壁をなすセパレータとからなる単セルを複数積層してなる固体高分子型の燃料電池として構成されており、ＣＯ選択酸化部３４からの燃料ガス中の水素とブロア４１からの空気中の酸素とによる電気化学反応（発熱反応）によって発電する。
【００２７】
燃料電池４０と熱交換器４２との間には、発熱反応によって高温化する燃料電池４０を適温に保持するための冷却水循環経路４８が形成されている。この冷却水循環経路４８の途中には、所定量の冷却水を蓄えておく図示しないリザーバタンクと、リザーバタンク内の冷却水を循環させる冷却水ポンプ４３と、冷却水循環経路４８内の冷却水の温度を検出する冷却水温センサ４９とが設けられている。また、冷却水循環経路４８は閉じた系であり、通常、冷却水循環経路４８内の水を抜いたり足したりすることは行われない。この冷却水循環経路４８に冷却水を循環させることにより、燃料電池４０は適温（本実施形態では、８０〜９０℃程度）に保持される。
【００２８】
熱交換器４２は、燃料電池４０の冷却水と貯湯槽４４に貯留される水との熱交換を行うものである。システム運転時つまり燃料電池４０の発電時には燃料電池４０の熱を冷却水循環経路４８を循環する冷却水が奪い、その冷却水の熱を貯湯槽４４に貯留される水が熱交換器４２にて回収し、温水となって貯湯槽４４に貯湯されるようになっている。つまり、貯湯槽４４は燃料電池４０を冷却する冷却水から回収した熱を蓄える役割を果たす。この貯湯槽４４は、所定容量のタンクであり、下方内部から熱交換器４２を経て上方内部に通じる第１経路５１と、上方内部から熱交換器４２を経て上方内部へと通じる第２経路５２と、絶えずタンク内に水道水が満たされるように補給する図示しない補給路とを備えている。第１経路５１には、熱交換器４２に至る手前に貯湯ポンプ４５が配置され、貯湯槽４４から貯湯ポンプ４５へ至る途中にソレノイドバルブである第１バルブ４６が配置されている。また、第２経路５２には、熱交換器４２に至る手前に貯湯ポンプ４５が配置され、貯湯槽４４から貯湯ポンプ４５へ至る途中にソレノイドバルブである第２バルブ４７が配置されている。したがって、貯湯ポンプ４５は、第１バルブ４６が開き第２バルブ４７が閉じているときには貯湯槽４４に貯留されている水を第１経路５１に循環させる役割を果たし、第１バルブ４６が閉じ第２バルブ４７が開いているときには貯湯槽４４に貯留されている水を第２経路５２に循環させる役割を果たす。
【００２９】
外気温センサ６１は、外気の温度を検出するセンサであり、改質器３０、ＣＯ選択酸化部３４、燃料電池４０、熱交換器４２、電子制御ユニット６０等を収納する図示しない本体パッケージの筐体外側に取り付けられている。なお、本実施形態の燃料電池発電システム１０は、本体パッケージのほか、貯湯槽４４を収納する貯湯パッケージや、系統連係パッケージ７０を備えている。
【００３０】
電子制御ユニット６０は、周知のＣＰＵ、ＲＯＭ、ＲＡＭを中心とするマイクロプロセッサとして構成されている。この電子制御ユニット６０には、系統連係パッケージ７０内の図示しないインバータの電流センサからの出力電圧や、同インバータの電圧センサからの出力電流や、冷却水温センサ４９からの冷却水の水温や、外気温センサ６１からの外気温などが入力される。また、電子制御ユニット６０からは、調節弁２４、第１バルブ４６及び第２バルブ４７のソレノイドへの駆動信号や、昇圧ポンプ２６，２８，ブロア４１，冷却水ポンプ４３，貯湯ポンプ４５などへの駆動信号や、燃焼部３２への点火信号や、系統連係パッケージ７０内の図示しないインバータへのスイッチング制御信号などが出力される。
【００３１】
この電子制御ユニット６０は、ハイ、ミドル、ローのいずれかの運転モードが決まると、その運転モードに応じて定められた電力を目標出力電力として、燃料電池４０からの直流電力を系統連係パッケージ７０内の図示しないインバータで変換した交流電力が目標出力電力となるように、燃料電池４０の発電量を制御する。ここで、燃料電池４０の発電量の制御とは、例えば都市ガスの調節弁２４や昇圧ポンプ２６を制御することにより燃料電池４０への燃料ガスの供給量を制御したり、ブロア４１を制御することにより酸化ガスの供給量を制御したりすることをいう。
【００３２】
次に、こうして構成された燃料電池発電システム１０の動作について説明する。図２は熱交換制御プログラムの一例を示すフローチャートであり、このプログラムは電子制御ユニット６０の図示しないＲＯＭに記録され、所定タイミング毎に電子制御ユニット６０の図示しないＣＰＵにより読み出され実行される。また、熱交換制御は凍結防止制御を含む。このプログラムが開始されると、電子制御ユニット６０は、まず燃料電池４０が運転中か運転停止中かを判定し（ステップＳ１００）、燃料電池４０が運転中のときには、第１バルブ４６を開き第２バルブ４７を閉じることにより第１経路５１を開き第２経路５２を閉じ（ステップＳ１１０）、冷却水ポンプ４３及び貯湯ポンプ４５を駆動させ（ステップＳ１２０）、このプログラムを終了する。すると、冷却水は冷却水循環経路４８を循環し、貯湯槽４４に貯留された水は貯湯槽４４の下層部から第１経路５１を循環して貯湯槽４４の上層部へ戻る。このとき、冷却水は電気化学反応（発熱反応）によって熱を帯びた燃料電池４０を冷却して自らの温度が上昇し、熱交換器４２にて貯湯槽４４から流通してきた水により熱を回収される。この結果、燃料電池４０は適温に保持されると共に貯湯槽４４にはお湯が貯められる。
【００３３】
一方、燃料電池４０が運転停止中のときには、電子制御ユニット６０は外気温センサ６１から外気温を読み込み（ステップＳ１３０）、その外気温が予め定められた所定温度Ｔａ以下か否かを判定する（ステップＳ１４０）。ここで、所定温度Ｔａは、予め冷却水の凍結温度（凝固点）に基づいて冷却水が凍結するおそれのある外気温に定められており、例えばＴａは冷却水凍結温度と一致するように定められていてもよい。そして、外気温が所定温度Ｔａを越えているときには、冷却水循環経路４８内の冷却水が凍結するおそれはないため、このプログラムを終了する。一方、外気温が所定温度Ｔａ以下のときには、続いて冷却水温センサ４９から冷却水温を読み込み（ステップＳ１５０）、その冷却水温が予め定められた所定温度Ｔｗ１以下か否かを判定する（ステップＳ１６０）。ここで、所定温度Ｔｗ１は、冷却水の凍結温度に基づいて冷却水が凍結するおそれがある水温に定められており、例えばＴｗ１は冷却水凍結温度より僅かに高い温度と定めてもよい。そして、冷却水温が所定温度Ｔｗ１を越えているときには、外気温が低くても直ぐに冷却水循環経路４８内の冷却水が凍結するおそれはないため、このプログラムを終了する。一方、冷却水温が所定温度Ｔｗ１以下のときには、外気温及び冷却水温の両方からみて冷却水が凍結するおそれがあるため、第１バルブ４６を閉じ第２バルブ４７を開くことにより第１経路５１を閉じ第２経路５２を開き（ステップＳ１７０）、冷却水ポンプ４３及び貯湯ポンプ４５を駆動させる（ステップＳ１８０）。すると、冷却水は冷却水循環経路４８を循環し、貯湯槽４４に貯留された水は貯湯槽４４の上層部から第２経路５２を循環して貯湯槽４４の上層部へ戻る。このとき、貯湯槽４４に貯留された水は燃料電池４０が運転中のときに燃料電池４０の冷却水の熱を回収してお湯になっているため、熱交換器４２にて貯湯槽４４から流通してきた水により冷却水が暖められる。この結果、冷却水温が上昇する。
【００３４】
その後、冷却水温センサ４９から冷却水温を読み込み（ステップＳ１９０）、その冷却水温が予め定められた所定温度Ｔｗ２を越えたか否かを判定する（ステップＳ２００）。ここで、所定温度Ｔｗ２は所定温度Ｔｗ１よりも高い値に設定されており、一旦冷却水温が所定温度Ｔｗ２を越えたあとは直ちに所定温度Ｔｗ１以下に戻らないような値に設定されている。また、所定温度Ｔｗ２を必要以上に高い値に設定すると貯湯槽４４に貯留されたお湯が冷めてしまうため、その点も考慮して設定されている。なお、この所定温度Ｔｗ２は外気温に応じて異なる値を採用してもよい。そして、冷却水温が所定温度Ｔｗ２を越えていないときには、再びステップＳ１９０に戻り、冷却水温が所定温度Ｔｗ２を越えたときには、冷却水ポンプ４３及び貯湯ポンプ４５を停止させ（ステップＳ２１０）、このプログラムを終了する。この結果、冷却水温が所定温度Ｔｗ２を越えるまで貯湯槽４４から流通してきたお湯が冷却水を暖め続ける。
【００３５】
以上詳述した本実施形態によれば、冷却水循環経路４８内の冷却水が凍結するおそれがあるときには、燃料電池４０の発電中に熱を回収した貯湯槽４４の水（お湯）により冷却水を暖めて凍結を防止しており、換言すれば燃料電池発電システム１０で発生した熱を利用して燃料電池４０の冷却水の凍結を防止しているため、システム効率を高く維持したまま冷却水の凍結を防止できる。
【００３６】
また、外気温と冷却水温の両方に基づいて冷却水が凍結するおそれがあるか否かを適切に判定することができる。なお、上述した実施形態では、外気温が所定温度Ｔａ以下で冷却水温が所定温度Ｔｗ１以下という温度範囲が、予め冷却水の凍結のおそれがあると定められた所定の温度範囲に相当する。
【００３７】
更に、貯湯槽４４に貯留されている水（お湯）は中層部以上の方が温度勾配からみて高温になりやすいことから、その中層部以上の水を用いて冷却水を暖めているため、冷却水の凍結を防止するうえで有利である。
【００３８】
更にまた、燃料電池４０の発電時には第１経路５１を利用して貯湯槽４４のうち下層部にある比較的低温の水で燃料電池４０の冷却水の熱を回収するため熱回収効率がよく、また、冷却水の凍結のおそれがあるときには第２経路５２を利用して貯湯槽４４のうち中層部以上にある比較的高温の水で冷却水を暖めるため早期に凍結のおそれが解消する。
【００３９】
なお、本発明は上述した実施形態に何ら限定されるものではなく、本発明の技術的範囲に属する範囲内において、種々なる形態で実施し得ることは勿論である。
【００４０】
例えば、上述した実施形態では、燃料電池４０の運転停止中のときにステップＳ１３０以下の処理を行ったが、燃料電池発電システム１０に凍結防止モードを設定するモード設定ボタンを設け、凍結防止モードに設定されているときにステップＳ１３０以下の処理を行ってもよい。
【００４１】
また、上述した実施形態において、貯湯槽４４に貯留された水は、燃料電池４０の運転中に、燃料電池４０のアノードから排出されるアノードオフガスの熱や、カソードから排出されるカソードオフガスの熱や、燃焼部３２から排出される燃焼排ガスの熱などを回収してもよい。こうすれば、燃料電池発電システム１０で発生した熱をより有効に回収することができるし、冷却水の凍結を防止するうえでも有効である。
【００４２】
更に、上述した実施形態において、電子制御ユニット６０は、図３に示すように、ステップＳ１００で燃料電池４０の運転停止中のときには、外気温を読み込み（ステップＳ１３０）、その外気温と所定温度Ｔａとを比較し（ステップＳ１４０）、その外気温が所定温度Ｔａ以下のときには、第１バルブ４６を閉じ第２バルブ４７を開いたうえで冷却水ポンプ４３及び貯湯ポンプ４５を駆動させ（ステップＳ１７０、Ｓ１８０）、貯湯槽４４に貯留されているお湯で凍結するおそれのある冷却水を暖め、その後所定時間経過したか否かを判定し（ステップＳ２０５）、所定時間経過したあと両ポンプ４３，４５を停止する（ステップＳ２１０）ようにしてもよい。つまり、外気温のみに基づいて冷却水が凍結するおそれがあるか否かを判定してもよい。なお、図３のフローチャートのうち図２のフローチャートと共通する部分については、同じステップで表示した。
【００４３】
あるいは、上述した実施形態において、電子制御ユニット６０は、図４に示すように、ステップＳ１００で燃料電池４０の運転停止中のときには、冷却水温を読み込み（ステップＳ１５０）、その冷却水温と所定温度Ｔｗ１とを比較し（ステップＳ１６０）、その冷却水温が所定温度Ｔｗ１以下のときには、第１バルブ４６を閉じ第２バルブ４７を開いたうえで冷却水ポンプ４３及び貯湯ポンプ４５を駆動させ（ステップＳ１７０、Ｓ１８０）、貯湯槽４４に貯留されているお湯で凍結するおそれのある冷却水を暖め、その後冷却水温を読み込み（ステップＳ１９０）、その冷却水温と所定温度Ｔｗ２とを比較し（ステップＳ２００）、その冷却水温が所定温度Ｔｗ２を越えたときには両ポンプ４３，４５を停止する（ステップＳ２１０）ようにしてもよい。つまり、冷却水温のみに基づいて冷却水が凍結するおそれがあるか否かを判定してもよい。なお、図４のフローチャートのうち図２のフローチャートと共通する部分については、同じステップで表示した。
【００４４】
更に、上述した実施形態において、図５に示すように、貯湯槽４４の取水口に追焚き給湯器５５を取り付け、電子制御ユニット６０は貯湯槽４４の水の温度（貯湯温）を貯湯温センサ４４ａから読み込み、その貯湯温が低下した場合には追焚き給湯器５５を作動させて追焚きにより貯湯温を上げて給湯するようにし、また、貯湯槽４４から追焚き給湯器５５、第３バルブ５４、貯留ポンプ４５及び熱交換器４２を経て貯湯槽４４へ戻る第３経路５３を設け、電子制御ユニット６０が図６に示す熱交換制御プログラムのフローチャートに基づいて処理を実行してもよい。この図６のフローチャートのうち図２のフローチャートと共通する部分については、同じステップで表示する。電子制御ユニット６０は、燃料電池４０が運転中のときには、第１バルブ４６を開き第２バルブ４７と第３バルブ５４とを閉じ（ステップＳ１１５）、冷却水ポンプ４３及び貯湯ポンプ４５を駆動させる（ステップＳ１２０）。これにより、燃料電池４０の運転時には第１経路５１を利用して貯湯槽４４のうち下層部にある比較的低温の水で燃料電池４０の冷却水の熱を回収する。一方、燃料電池４０の運転停止中で外気温が所定温度Ｔａ以下で冷却水温が所定温度Ｔｗ１以下のときには、貯湯槽４４に貯留された水が冷却水の凍結を防止できるかどうかを判定する（ステップＳ１６５）。この判定は、貯湯温センサ４４ａから読み込んだ貯湯温（熱量）が、予め定められた所定水温（凍結するおそれのある冷却水を凍結するおそれのない状態にすることのできる温度）以上か否かによって行われる。そして、貯湯槽４４に貯留された水が冷却水の凍結を防止できるときには、第１バルブ４６と第３バルブ５４とを閉じ第２バルブ４７を開き（ステップＳ１６６）、冷却水ポンプ４３及び貯湯ポンプ４５を駆動させ（ステップＳ１８０）、冷却水温が所定温度Ｔｗ２を越えたあと両ポンプ４３，４５の駆動を停止させる（ステップＳ１９０，Ｓ２００，Ｓ２１０）。これにより、冷却水が凍結するおそれがあるときには第２経路５２を利用して貯湯槽４４のうち中層部以上にある比較的高温の水で冷却水を暖めて凍結するおそれのない状態にする。一方、ステップＳ１６５で貯湯槽４４に貯留された水が冷却水の凍結を防止できないとき、つまり貯湯槽４４の水の熱量が冷却水を暖めるのに不足しているときには、第１バルブ４６と第２バルブ４７とを閉じ第３バルブ５４を開き（ステップＳ１６７）、追焚き給湯器５５を作動させ（ステップＳ１６８）、冷却水ポンプ４３及び貯湯ポンプ４５を駆動させ（ステップＳ１８０）、冷却水温が所定温度Ｔｗ２を越えたあと両ポンプ４３，４５を停止させる（ステップＳ１９０，Ｓ２００，Ｓ２１０）。なお、このときステップＳ２１０では追焚き給湯器５５も停止させる。これにより、貯湯槽４４に貯留された水は追焚き給湯器５５にて熱量を付与されて高温になったあと第３経路５３を循環し、その第３経路５３に配置されている熱交換器４２にて冷却水を暖め、冷却水の凍結を防止する。こうすれば、燃料電池発電システム１０で発生した熱だけでは冷却水の凍結防止を賄いきれなかったとしても、貯湯槽４４の水に熱量を付与することにより冷却水の凍結を防止することができる。
【００４５】
このとき、貯湯槽４４が追焚き給湯機能を有していてもよく、この場合には第３経路５３や第３バルブ５４や追焚き給湯器５５は不要であり、図２のフローチャートで燃料電池４０の運転停止中で外気温が所定温度Ｔａ以下で冷却水温が所定温度Ｔｗ１以下のときに、貯湯槽４４に貯留された水で冷却水の凍結を防止できるか否かを判定し、防止できるときにはステップＳ１８０以下に進み、防止できないときには追焚き機能を作動させたあとステップＳ１８０以下に進めばよい。但し、追焚き機能を作動させたときにはステップＳ２１０で追焚き機能を停止させる。
【図面の簡単な説明】
【００４６】
【図１】本発明の一実施形態である燃料電池発電システムの概略を示す構成図である。
【図２】電子制御ユニットにより実行される熱交換制御プログラムの一例を示すフローチャートである。
【図３】電子制御ユニットにより実行される熱交換制御プログラムの一例を示すフローチャートである。
【図４】電子制御ユニットにより実行される熱交換制御プログラムの一例を示すフローチャートである。
【図５】本発明の他の実施形態である燃料電池発電システムの概略を示す構成図である。
【図６】電子制御ユニットにより実行される熱交換制御プログラムの一例を示すフローチャートである。
【符号の説明】
【００４７】
１０…燃料電池発電システム、２２…ガス配管、２４…調節弁、２６…昇圧ポンプ、２７…脱硫器、２８…昇圧ポンプ、３０…改質器、３２…燃焼部、３４…ＣＯ選択酸化部、４０…燃料電池、４１…ブロア、４２…熱交換器、４３…冷却水ポンプ、４４…貯湯槽、４５…貯湯ポンプ、４６…第１バルブ、４７…第２バルブ、４８…冷却水循環経路、４９…冷却水温センサ、５１…第１経路、５２…第２経路、５３…第３経路、５４…第３バルブ、５５…追焚き給湯器、６０…電子制御ユニット、６１…外気温センサ、７０…系統連係パッケージ。
【図１】
2007165341.tif 000003
【図２】
2007165341.tif 000004
【図３】
2007165341.tif 000005
【図４】
2007165341.tif 000006
【図５】
2007165341.tif 000007
【図６】
2007165341.tif 000008
【手続補正書】
【提出日】平成19年3月28日(2007.3.28)
【手続補正１】
【補正対象書類名】特許請求の範囲
【補正対象項目名】全文
【補正方法】変更
【補正の内容】
【特許請求の範囲】
【請求項１】
燃料ガスと酸化ガスとの電気化学反応により発電する燃料電池と、
熱交換媒体を貯留する熱交換媒体貯留手段と、
前記燃料電池を冷却する燃料電池冷媒と前記熱交換媒体貯留手段に貯留された熱交換媒体との間で熱交換を行い前記燃料電池の発電時には前記熱交換媒体により前記燃料電池冷媒の熱を回収する熱交換手段と、
前記燃料電池冷媒の凍結のおそれがあるときには前記熱を回収した熱交換媒体により前記熱交換手段にて前記燃料電池冷媒を暖める凍結防止手段と
を備え、
前記凍結防止手段は、前記燃料電池冷媒を暖める熱交換媒体として前記熱交換媒体貯留手段の中層部以上に貯留する熱交換媒体を用いる、
燃料電池発電システム。
【請求項２】
請求項１記載の燃料電池発電システムであって、
前記熱交換媒体貯留手段の下層部の熱交換媒体を前記熱交換手段へ送り込み前記燃料電池冷媒と熱交換させたあと前記熱交換媒体貯留手段へ戻す第１経路と、
前記熱交換媒体貯留手段の中層部以上に貯留する熱交換媒体を前記熱交換手段へ送り込み前記燃料電池冷媒と熱交換させたあと前記熱交換媒体貯留手段へ戻す第２経路と
を備え、
前記凍結防止手段は、前記燃料電池の発電時には前記第１経路を開き前記第２経路を閉じて前記熱交換手段にて熱交換を行うことにより前記燃料電池冷媒の熱を前記熱交換媒体で回収し、前記燃料電池冷媒の凍結のおそれがあるときには前記第２経路を開き前記第１経路を閉じて前記熱交換手段にて熱交換を行うことにより前記燃料電池冷媒を前記熱交換媒体で暖める
燃料電池発電システム。
【請求項３】
請求項１又は２に記載の燃料電池発電システムであって、
前記熱交換媒体貯留手段に貯められた前記熱交換媒体に熱量を付与する熱量付与手段
を備え、
前記凍結防止手段は、前記燃料電池冷媒の凍結のおそれがあり且つ前記熱交換媒体貯留手段に貯留された熱交換媒体の熱量が前記燃料電池冷媒を暖めるのに不足しているときには、前記熱量付与手段が熱量を付与したあとの熱交換媒体で前記燃料電池冷媒を暖める
燃料電池発電システム。
【請求項４】
請求項３記載の燃料電池発電システムであって、
前記熱交換媒体貯留手段に貯められた前記熱交換媒体の熱量を検出する熱量検出手段
を備え、
前記熱交換媒体貯留手段に貯留された熱交換媒体の熱量が前記燃料電池冷媒を暖めるのに不足しているときとは、前記熱量検出手段によって検出された熱量が前記燃料電池冷媒を暖めるのに必要な所定の熱量範囲でないときである
燃料電池発電システム。
【請求項５】
前記熱交換媒体は水又は湯である
請求項１〜４のいずれかに記載の燃料電池発電システム。
【請求項６】
前記燃料電池冷媒は閉じた系内を循環する
請求項１〜５のいずれかに記載の燃料電池発電システム。
【請求項７】
請求項１〜６のいずれかに記載の燃料電池発電システムであって、
外気温を検出する外気温検出手段
を備え、
前記燃料電池冷媒の凍結のおそれがあるときとは、前記外気温検出手段によって検出された外気温が予め前記燃料電池冷媒の凍結のおそれがあると定められた所定の凍結温度範囲のときである
燃料電池発電システム。
【請求項８】
請求項１〜６のいずれかに記載の燃料電池発電システムであって、
燃料電池冷媒の温度を検出する冷媒温度検出手段
を備え、
前記燃料電池冷媒の凍結のおそれがあるときとは、前記冷媒温度検出手段によって検出された温度が予め前記燃料電池冷媒の凍結のおそれがあると定められた所定の温度範囲のときである
燃料電池発電システム。
【請求項９】
請求項１〜８のいずれかに記載の燃料電池発電システムであって、
前記燃料電池の運転状態を検出する運転状態検出手段
を備え、
前記凍結防止手段は、前記運転状態検出手段により前記燃料電池が運転停止中であると検出されたときに前記燃料電池冷媒の凍結のおそれがあるか否かを判定する
燃料電池発電システム。
【請求項１０】
燃料ガスと酸化ガスとの電気化学反応により発電する燃料電池を冷却する燃料電池冷媒と熱交換媒体貯留手段に貯留された熱交換媒体との間で熱交換を行う燃料電池発電システムを運転する方法であって、
前記燃料電池の発電時には前記燃料電池冷媒の熱を前記熱交換媒体で回収し、前記燃料電池冷媒の凍結のおそれがあるときには前記燃料電池の発電時に熱を回収した熱交換媒体により前記燃料電池冷媒を暖めるものであり、前記燃料電池冷媒を暖める熱交換媒体として前記熱交換媒体貯留手段の中層部以上に貯留する熱交換媒体を用いる、
燃料電池発電システムの運転方法。
【請求項１１】
前記燃料電池冷媒の凍結のおそれがあり且つ前記熱交換媒体貯留手段に貯留された熱交換媒体の熱量が前記燃料電池冷媒を暖めるのに不足しているときには、前記熱交換媒体に熱量を付与したあと該熱交換媒体で前記燃料電池冷媒を暖める
請求項１０記載の燃料電池発電システムの運転方法。
【手続補正２】
【補正対象書類名】明細書
【補正対象項目名】０００６
【補正方法】変更
【補正の内容】
【０００６】
上述した目的を達成するために、本発明の第１は、燃料電池発電システムであって、
燃料ガスと酸化ガスとの電気化学反応により発電する燃料電池と、
熱交換媒体を貯留する熱交換媒体貯留手段と、
前記燃料電池を冷却する燃料電池冷媒と前記熱交換媒体貯留手段に貯留された熱交換媒体との間で熱交換を行い前記燃料電池の発電時には前記熱交換媒体により前記燃料電池冷媒の熱を回収する熱交換手段と、
前記燃料電池冷媒の凍結のおそれがあるときには前記熱を回収した熱交換媒体により前記熱交換手段にて前記燃料電池冷媒を暖める凍結防止手段と
を備え、
前記凍結防止手段は、前記燃料電池冷媒を暖める熱交換媒体として前記熱交換媒体貯留手段の中層部以上に貯留する熱交換媒体を用いるものである。
【手続補正３】
【補正対象書類名】明細書
【補正対象項目名】０００７
【補正方法】変更
【補正の内容】
【０００７】
この燃料電池発電システムでは、燃料電池が発電しているときには、発熱反応である電気化学反応によって熱を帯びる燃料電池を燃料電池冷媒が冷却し、この燃料電池冷媒の熱を熱交換媒体が回収する。一方、燃料電池冷媒が凍結するおそれがあるとき（例えば低温で燃料電池の停止時（長期放置時）など）には、燃料電池の発電中に熱を回収した熱交換媒体により燃料電池冷媒を暖めて凍結を防止する。このように燃料電池発電システムで発生した熱を利用して燃料電池冷媒の凍結を防止するため、システム効率を高く維持できる。また、熱交換媒体貯留手段に貯留されている熱交換媒体は中層部以下よりも中層部以上の方が温度勾配からみて高温になりやすいので、中層部以上に貯留する熱交換媒体により燃料電池冷媒を暖めるのが凍結を防止するうえで有利である。特に、熱交換手段で熱交換したあとの熱交換媒体を熱交換貯留手段の上層部に戻す場合には、中層部以上の方が高温になりやすい傾向が高いので、中層部以上に貯留する熱交換媒体を利用することが好ましい。
【手続補正４】
【補正対象書類名】明細書
【補正対象項目名】０００８
【補正方法】削除
【補正の内容】
【手続補正５】
【補正対象書類名】明細書
【補正対象項目名】００１１
【補正方法】変更
【補正の内容】
【００１１】
このとき、前記熱交換媒体貯留手段に貯められた前記熱交換媒体の熱量を検出する熱量検出手段を備えていてもよく、前記熱交換媒体貯留手段に貯留された熱交換媒体の熱量が前記燃料電池冷媒を暖めるのに不足しているときとは、前記熱量検出手段によって検出された熱量が前記燃料電池冷媒を暖めるのに必要な所定の熱量範囲でないときとしてもよい。こうすれば、凍結防止手段は熱交換媒体の熱量が燃料電池冷媒の凍結を防止するのに不足しているか否かを適切に判定することができる。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１９
【補正方法】変更
【補正の内容】
【００１９】
本発明の第２は、燃料ガスと酸化ガスとの電気化学反応により発電する燃料電池を冷却する燃料電池冷媒と熱交換媒体貯留手段に貯留された熱交換媒体との間で熱交換を行う燃料電池発電システムを運転する方法であって、前記燃料電池の発電時には前記燃料電池冷媒の熱を前記熱交換媒体で回収し、前記燃料電池冷媒の凍結のおそれがあるときには前記燃料電池の発電時に熱を回収した熱交換媒体により前記燃料電池冷媒を暖めるものであり、前記燃料電池冷媒を暖める熱交換媒体として前記熱交換媒体貯留手段の中層部以上に貯留する熱交換媒体を用いるものである。こうすれば、燃料電池発電システムで発生した熱を利用して燃料電池冷媒の凍結を防止するため、システム効率を高く維持できる。また、熱交換媒体貯留手段に貯留されている熱交換媒体は中層部以下よりも中層部以上の方が温度勾配からみて高温になりやすいので、中層部以上に貯留する熱交換媒体により燃料電池冷媒を暖めるのが凍結を防止するうえで有利である。特に、熱交換手段で熱交換したあとの熱交換媒体を熱交換貯留手段の上層部に戻す場合には、中層部以上の方が高温になりやすい傾向が高いので、中層部以上に貯留する熱交換媒体を利用することが好ましい。
【手続補正９】
【補正対象書類名】明細書
【補正対象項目名】００２１
【補正方法】削除
【補正の内容】